(57)【特許請求の範囲】
【請求項１】
つり下げ式のガラス製パネルを含むカーテン・ウォールであって、前もって製造されたガラス製パネルが、その全長にわたって、カーテン・ウォールのフレームの水平梁（１．１および１．２）だけで吊り下げられた、前記カーテン・ウォールのフレーム上に置かれて、垂直梁（１．３および２．３）が、前記カーテン・ウォールの高さに沿って連続していないことを特徴とするつり下げ式のガラス製パネルを含むカーテン・ウォール。
【請求項２】
請求項１に記載のつり下げ式のガラス製パネルを含むカーテン・ウォールにおいて、前記フレームの水平梁（１．１および１．２）が、カーテン・ウォールの各床部に対して二本あり、相互に平行であり、前記床部の構造上の正面の全長にわたって連続していて、一方が窓の基部の高さのところにある梁（１．１および６．２）であり、他方が窓の頂部の高さのところの梁（１．２および５．２）であり、最初に、上を向いている床部の床部スラブに固定されている、カンチレバー（６．１）の端部に支持され、次に、下を向いている床部の床部スラブに固定されている、類似のカンチレバー（５．１）の端部に支持されていて、前記カーテン・ウォールが、前記床部を横切って連続している場合には、前記カンチレバー（１．３および２．３）が一体化され、前記水平梁が両方向に突きでている梁の形の一体化したポール上に支持されることを特徴とするカーテン・ウォール。
【請求項３】
請求項１に記載のつり下げ式のガラス製パネルを含むカーテン・ウォールにおいて、前記床部上の二本の水平梁の間に垂直梁が存在せず、前記床部の上部水平梁（１．２，２．２，および５．２）のプロファイル上に位置する一方のフック（５．３）と、前記窓のフレームの上部側面部のプロファイル上に位置する他方のフック（５．４）により、前記垂直梁間の自由空間内に、前記床部の前記窓が吊り下げられていることを特徴とするカーテン・ウォール。
【請求項４】
請求項１に記載のつり下げ式のガラス製パネルを含むカーテン・ウォールにおいて、ガラス製のパネルのフレームが予め製造されたアルミニウム・プロファイルが、それによりガラス製パネル上にガラスを保持する、密封材の接着要件も満たすことができる、特殊アルミニウム合金のブレードを支持するのに適している特殊な切込み（５．６，６．５，７．１および８．１）を持つことを特徴とするカーテン・ウォール。
【請求項５】
請求項１に記載のつり下げ式のガラス製パネルを含むカーテン・ウォールにおいて、前記ガラス製パネルおよび前記水平梁の寸法および形状、および前記カンチレバーの寸法および固定方法が、前記床部の自由高さ、前記スラブの寸法、建築材および前記建造物の建築上の要件に依存することを特徴とするカーテン・ウォール。
【発明の詳細な説明】
本発明は、つり下げ式のガラス製パネル（ｇｌａｓｓｅｄ  ｐａｎｅｌｓ）を含むカーテン・ウォールの構造物用の一連のアルミニウム・プロファイル（ａｌｕｍｉｎｉｕｍ  ｐｒｏｆｉｌｅｓ）の工業用生産に関する。
ギリシャおよび世界中で今日生産されるカーテン・ウォールのフレームの構造および形状は、連続している梁として、カーテン・ウォールの高さ全体に渡って延びる垂直梁と、その垂直梁の間に位置する小さな水平方向の梁、すなわち、横方向の梁（ｔｒａｎｓｖｅｒｓｅｓ）の格子からなる伝統的なフレームの構造をベースにしている。ガラス製のパネルは、垂直素子および水平素子の両方と接触した状態で上記格子上に配置され、それにより支持される。
このフレームの構造は、主として、窓の熱膨張、耐地震特性、強度、安全性および動作、密閉材の強度および耐久性、全体の建造コスト等に関して、いくつかの問題および弱点を抱えている。
上記問題および弱点は、本発明が関連する、つり下げ式のガラス製パネルを含むカーテン・ウォールの建造物により、より効率的に対処できる。
本発明の場合、ガラス素子、すなわち、工場で製造されたガラス製パネルは、フレームの水平方向の梁からだけ、その全長に沿って吊り下げられているカーテン・ウォールのフレーム上に置かれる。この場合、ガラス製パネルは、図１および図２の建造物の床部のスラブ（ｓｌａｂｓ）上において水平梁だけを支持するための垂直梁に接触していない。
カーテン・ウォールの各床部の内部には、相互に平行で、床部の構造上の正面の全長に沿って連続している二本の水平梁が位置している。これら二本の水平梁の一方は、窓の基部の高さのところの梁、すなわち、床部の下部水平梁であり（図の１．１および２．１）、他方は、窓の頂部び高さのところの梁、すなわち、床部の上部水平梁である（図の１．２および２．２）。
これら水平梁は、建造物の床部のスラブ上に固定されている小さなカンチレバー（図の１．３および２．３）の端部上に支持されている。床部の床部スラブ上に固定され上を向いているカンチレバーは、その端部で、窓の基部の高さのところの水平梁、すなわち、床部の下部水平梁を支持し、一方、床部の屋根部スラブに固定され下を向いているカンチレバーは、その端部で、窓の頂部の高さのところの水平梁、すなわち、床部の上部水平梁を支持し、この水平梁は、その全長にわたって特殊なフックを持つ、窓を吊り下げ、窓の開口部を形成するための梁であり、また、上記フックは、窓のフレームの上辺の各フックに対応するものである。下床部または上床部までカーテン・ウォールが連続している場合には、二つのカンチレバーは、連続している床部の方向に両方に向かって突き出している梁として一体となり（図の１．３および２．３）、一方、床部の高さに沿って一体化されたガラス製パネルの場合には、水平梁の支持体は、床部の屋根部および床部スラブに直接固定される。
水平梁の上記支持体、および窓を吊り下げ窓の開口部を形成するための手段を使用する場合には、各床部の二本の水平梁の間の垂直梁は連続していない。それ故、床部の全長にわたって連続している窓を形成するのは容易であり、コストも安い（図３参照）。
水平梁およびカンチレバーの形状および寸法、これらの梁およびカンチレバーの接続方法および固定方法は、建造物の建材、および建造物のスラブの寸法に依存する。
本発明は、添付の図面に示す一連のアルミニウム・プロファイルに使用することができる。アルミニウム・プロファイルについては下記図面を参照されたい。
図４は、プロファイル、すなわち、図の１．３および２．３に示す、いくつかの形状のカンチレバーである。
図５は、窓を吊り下げるための上部水平梁の機能構成（Ｆｕｎｃｔｉｏｎａｌ  ｃｏｍｐｏｓｉｔｉｏｎ）である。図５中、５．１は、カンチレバーであり、５．２はフック５．３を持つ窓を吊り下げるための上部水平梁であり、５．４は、窓を吊り下げるための相互フックを持つ窓フレームの上部水平側面部であり、５．５は、固定ガラス製パネルのフレームの下部水平側面部である。
図６は、固定ガラス製パネルを吊り下げるための下部水平梁の機能構成である。図６中、６．１は、カンチレバーであり、６．２は、固定ガラス製パネルを吊り下げるための下部水平梁であり、６．３は固定ガラス製パネルのフレームの上部水平側面部であり、６．４は、窓フレームの下部水平辺側面部である。
図７は、垂直梁、すなわち、窓および固定ガラス製パネル用のフレームの垂直側面部の機能構成である。
図８は、隅梁（ｃｏｒｎｅｒ  ｂｅａｍ）の機能構成である。
ガラス製パネルのパネルを形成するすべてのプロファイルは、密封材の接着要件を満たすこともできる特殊合金で作られた、その上に取り付けまた支持するためのアルミニウムのブレード（ｂｌａｄｅｓ）の特殊な切り込みを持つ。そのため、図の５．６、６．５、７．１および８．１により示すように、品質が改善され、ガラス製パネルのアルミニウム・フレーム上にガラスを長期間にわたって保持することができる。
【図１】
0003746299.tif 000002
【図２】
0003746299.tif 000003
【図３】
0003746299.tif 000004
【図４】
0003746299.tif 000005
【図５】
0003746299.tif 000006
【図６】
0003746299.tif 000007
【図７】
0003746299.tif 000008
【図８】
0003746299.tif 000009